(57)【要約】  本発明は、ＭＭＥ（移動管理エンティティ）デバイスに、ＭＴＣ（マシン・タイプ通信）の用途のタイプに基づいて、対応する移動属性を通知するステップであって、移動属性が、ＭＴＣの用途の可動性が高いか低いかを示すステップと、ＭＭＥデバイスによって、移動属性に従ってＭＴＣの用途に関連した移動階層を求め、次いで、求めた移動階層に従って、所定の基準に基づいてＭＴＣの用途を適用するＭＴＣデバイスに対して、利用可能なアドレス空間からＴＭＳＩを割り当てるステップとを含むＴＭＳＩ（一時的移動局識別情報）割当て方法を提供する。本発明は、対応するＭＴＣサーバ、ＭＭＥデバイス、ネットワーク接続方法および位置エリア更新方法をさらに提供する。
2013532450.tif 000002
【特許請求の範囲】
【請求項１】
ＴＭＳＩ（一時的移動局識別情報）割当て用のＭＴＣ（マシン・タイプ通信）サーバであって、
ＭＭＥ（移動管理エンティティ）デバイスに、ＭＴＣの用途のタイプに基づいて、対応する移動属性を通知するように構成された通知装置を備え、前記移動属性は、前記ＭＴＣの用途の可動性が高いか低いかを示し、その結果、前記ＭＭＥデバイスが、前記移動属性に従って前記ＭＴＣの用途に関連した移動階層を求め、前記求めた移動階層に従って、所定の基準に基づいて前記ＭＴＣの用途を適用するＭＴＣデバイスに対して、利用可能なアドレス空間からＴＭＳＩを割り当てる、ＭＴＣサーバ。
【請求項２】
前記移動階層上で、１グループのｅＮＢにおける所定の数のｅＮＢが、前記ＭＴＣデバイスの位置エリアのカバレッジに含まれることが判定され、前記ＴＭＳＩが、前記ｅＮＢのグループをカバーする前記位置エリア内で一意的に割り当てられる請求項１に記載のＭＴＣサーバ。
【請求項３】
前記ｅＮＢのグループにおける所定の数の前記ｅＮＢが、前記移動属性によって決まる請求項２に記載のＭＴＣサーバ。
【請求項４】
前記所定の基準が、
それぞれがｅＮＢの別々のグループによってサービスが提供される、同一の移動階層に配置された複数のＭＴＣデバイスに対して前記ＴＭＳＩを繰り返し割り当てるステップと、
別々の移動階層に配置された複数のＭＴＣデバイスに対して、前記ＴＭＳＩを、別々の移動階層に対して前記それぞれの割り当てられたＴＭＳＩが１回だけ存在するように割り当てるステップとを含む請求項２に記載のＭＴＣサーバ。
【請求項５】
ＴＭＳＩ（一時的移動局識別情報）割当て用のＭＭＥ（移動管理エンティティ）デバイスであって、
ＭＴＣサーバから受け取った移動属性に従ってＭＴＣ（マシン・タイプ通信）の用途と関連する移動階層を求めるように構成された判定装置において、前記移動属性が、前記ＭＴＣの用途の可動性が高いか低いかを示す、判定装置と、
前記求めた移動階層に従って、所定の基準に基づいて前記ＭＴＣの用途を適用するＭＴＣデバイスに対して、利用可能なアドレス空間からＴＭＳＩを割り当てるように構成された割当て装置とを備えるＭＭＥデバイス。
【請求項６】
前記判定装置は、前記移動階層で、１グループのｅＮＢにおける所定の数のｅＮＢが、前記ＭＴＣデバイスの位置エリアのカバレッジに含まれることを判定するようにさらに構成され、前記ＴＭＳＩが、前記ｅＮＢのグループをカバーする前記位置エリア内で一意的に割り当てられる請求項５に記載のＭＭＥデバイス。
【請求項７】
前記ｅＮＢのグループにおける所定の数の前記ｅＮＢが、前記移動属性によって決まる請求項６に記載のＭＭＥデバイス。
【請求項８】
前記所定の基準が、それぞれがｅＮＢの別々のグループによってサービスが提供される、同一の移動階層に配置された複数のＭＴＣデバイスに対して前記ＴＭＳＩを繰り返し割り当てるステップと、別々の移動階層に配置された複数のＭＴＣデバイスに対して、前記ＴＭＳＩを、別々の移動階層に対してそれぞれの割り当てられたＴＭＳＩが１回だけ存在するように割り当てるステップとを含む請求項６に記載のＭＭＥデバイス。
【請求項９】
ＭＭＥ（移動管理エンティティ）デバイスに、ＭＴＣ（マシン・タイプ通信）の用途のタイプに基づいて、対応する移動属性を通知するステップであって、前記移動属性が、前記ＭＴＣの用途の可動性が高いか低いかを示すステップと、
前記ＭＭＥデバイスによって、前記移動属性に従って前記ＭＴＣの用途に関連した移動階層を求め、次いで、前記求めた移動階層に従って、所定の基準に基づいて前記ＭＴＣの用途を適用するＭＴＣデバイスに対して、利用可能なアドレス空間からＴＭＳＩを割り当てるステップとを含むＴＭＳＩ（一時的移動局識別情報）割当て方法。
【請求項１０】
前記移動階層で、１グループのｅＮＢにおける所定の数のｅＮＢが、前記ＭＴＣデバイスの位置エリアのカバレッジに含まれることを判定するステップであって、前記ＴＭＳＩが、前記ｅＮＢのグループをカバーする前記位置エリア内で一意的に割り当てられるステップをさらに含む請求項９に記載のＴＭＳＩ割当て方法。
【請求項１１】
前記ｅＮＢのグループにおける所定の数の前記ｅＮＢが、前記移動属性によって決まる請求項１０に記載のＴＭＳＩ割当て方法。
【請求項１２】
前記所定の基準が、それぞれがｅＮＢの別々のグループによってサービスが提供される、同一の移動階層に配置された複数のＭＴＣデバイスに対して前記ＴＭＳＩを繰り返し割り当てるステップと、別々の移動階層に配置された複数のＭＴＣデバイスに対して、前記ＴＭＳＩを、別々の移動階層に対して前記それぞれの割り当てられたＴＭＳＩが１回だけ存在するように割り当てるステップとを含む請求項１０に記載のＴＭＳＩ割当て方法。
【請求項１３】
請求項９乃至１２のいずれか１項に記載のＴＭＳＩ割当て方法を用いるネットワーク接続方法であって、
ＭＴＣ（マシン・タイプ通信）デバイスからの接続要求メッセージをｅＮＢに伝送して、前記ｅＮＢからの前記接続要求メッセージをＭＭＥ（移動管理エンティティ）デバイスに転送するステップにおいて、前記接続要求メッセージがＭＴＣ専用パラメータを含んでいるステップと、
前記ＭＭＥデバイスによって、前記ＭＴＣ専用パラメータを用いて、ＭＴＣ特徴要求メッセージを、ＨＳＳ（自宅加入者サーバ）を介して前記ＭＴＣサーバへ伝送するステップと、
前記ＭＴＣ特徴要求メッセージに応答して、前記ＭＴＣサーバによって、前記ＭＴＣ特徴応答メッセージを前記ＭＭＥデバイスへ返すステップにおいて、前記ＭＴＣ特徴応答メッセージが、ＭＴＣの用途のタイプに基づく移動属性を含み、前記移動属性が、前記ＭＴＣの用途の可動性が高いか低いかを示すステップと、
前記ＭＭＥデバイスによって、前記受け取ったＭＴＣ特徴応答メッセージに含まれている前記移動属性に従って前記ＭＴＣの用途に関連した移動階層を求め、次いで、ｅＮＢを介してＭＴＣデバイスへ接続承認メッセージを返送するステップにおいて、前記接続承認メッセージが、前記求めた移動階層に従って、所定の基準に基づいて前記ＭＴＣの用途を適用する前記ＭＴＣデバイスに対する、利用可能なアドレス空間からのＴＭＳＩ割当ての指標を含むステップとを含む方法。
【請求項１４】
請求項９乃至１２のいずれか１項に記載のＴＭＳＩ割当て方法を用いる位置エリア更新方法であって、
ＭＴＣ（マシン・タイプ通信）デバイスからｅＮＢに位置エリア更新要求メッセージを伝送して、前記位置エリア更新要求メッセージを、前記ｅＮＢから現在のＭＭＥ（移動管理エンティティ）デバイスに転送するステップと、
前記現在のＭＭＥデバイスによって、ＭＴＣデバイスから受け取ったＴＡ／ＲＡ／ＬＡのエリア更新要求メッセージから、前のＭＭＥデバイスのアドレスを取得して、次いで、コンテキスト要求メッセージを前記前のＭＭＥデバイスに伝送するステップと、
前記コンテキスト要求メッセージに応答して、前記前のＭＭＥデバイスによって、コンテキスト応答メッセージを前記現在のＭＭＥデバイスへ返すステップにおいて、前記コンテキスト応答メッセージが、ＭＴＣの用途のタイプに基づく移動属性を含み、前記移動属性が、前記ＭＴＣの用途の可動性が高いか低いかを示すステップと、
前記現在のＭＭＥデバイスによって、前記受け取ったコンテキスト応答メッセージに含まれている前記移動属性に従って前記ＭＴＣの用途に関連した移動階層を求め、次いで、前記ｅＮＢを介して前記ＭＴＣデバイスへ位置エリア更新承認メッセージを返送するステップにおいて、前記位置エリア更新承認メッセージが、前記ＭＴＣの用途を適用する前記ＭＴＣデバイスに対する、利用可能なアドレス空間からのＴＭＳＩ割当ての指標を含んでいるステップとを含む位置エリア更新方法。
【請求項１５】
前記現在のＭＭＥデバイスと、前記前のＭＭＥデバイスと、前記ＨＳＳとの間で情報を交換することによって位置情報を更新するステップをさらに含む請求項１４に記載の位置エリア更新方法。
【発明の詳細な説明】
【技術分野】
【０００１】
本発明は、移動体通信におけるＴＭＳＩ（一時的移動局識別情報（ｔｅｍｐｏｒａｒｙ  ｍｏｂｉｌｅ  ｓｔａｔｉｏｎ  ｃｏｍｍｕｎｉｃａｔｉｏｎ  ｉｄｅｎｔｉｔｙ））の割当て方式に関し、具体的には、Ｍ２Ｍ（マシン同士の）通信向けの階層化されたＴＭＳＩ割当て方式に関する。
【背景技術】
【０００２】
Ｍ２Ｍ通信は、必ずしも人の対話を必要としない１つまたは複数のエンティティを含むデータ通信の形態であると見なされる。ＭＴＣ（マシン・タイプ通信（Ｍａｃｈｉｎｅ  Ｔｙｐｅ  Ｃｏｍｍｕｎｉｃａｔｉｏｎ））サービスは、非常に多数の通信端末すなわちＭＴＣデバイスを含む可能性があり、現行の移動体ネットワーク通信が提供し得るサービスとは異なるものである。
【０００３】
ＭＴＣデバイスの数が多ければ、大きなアドレス空間が必要になり、Ｈ２Ｈ（人同士の）通信に関して定義された限度を越える可能性がある。ＭＴＣデバイスがＲＲＣ（無線リソース制御（Ｒａｄｉｏ  Ｒｅｓｏｕｒｃｅ  Ｃｏｎｔｒｏｌ））のアイドル状態にあるとき、ＴＭＳＩおよびＩＭＳＩ（国際移動局識別情報（Ｉｎｔｅｒｎａｔｉｏｎａｌ  Ｍｏｂｉｌｅ  Ｓｔａｔｉｏｎ  Ｉｄｅｎｔｉｔｙ））は、ネットワークから発せられた呼が入来したとき、ＭＴＣデバイスをページングするために、ＭＭＥ（移動管理エンティティ（Ｍｏｂｉｌｉｔｙ  Ｍａｎａｇｅｍｅｎｔ  Ｅｎｔｉｔｙ））またはＳＧＳＮ（ＧＰＲＳサービス対応ノード（ＧＰＲＳ  Ｓｅｒｖｉｎｇ  Ｓｕｐｐｏｒｔｉｎｇ  Ｎｏｄｅ））に記憶される。しかし、ＩＭＳＩはＭＴＣデバイスに関する一意で一定の識別情報であり、ＩＭＳＩをエア・インターフェースでブロードキャストするのは、敵対者によって追跡される可能性があるので非常に危険である。ページング・メッセージにＴＭＳＩを使用するのは、ＩＭＳＩと比べて比較的安全な手法である。ＴＭＳＩは３２ビット長であり、その割当ては、以下の要因によって制限され得る。
・ノード割当ての再スタート後のＴＭＳＩの２重の割当てを防止するために、ＴＭＳＩのいくつかの部分は、ＴＭＳＩが割り当てられる時間と関連付けられてもよく、ＴＭＳＩが、割当てノードが再スタートから回復したとき変化するビット・フィールドを含んでもよい。
・ＭＳＣベースの回線交換サービスおよびＳＧＳＮベースのパケット交換サービスの両方が提供されるエリアでは、ＭＳＣベースの回線交換サービス用のＴＭＳＩの割当てとＳＧＳＮベースのパケット交換サービス用のＴＭＳＩの割当ての間で何らかの識別が必要である。識別は、２つの最上位ビットによって行なわれるべきであり、値００、０１、および１０がＶＬＲ（探訪ロケーションのレジスタ（Ｖｉｓｉｔ  Ｌｏｃａｔｉｏｎ  Ｒｅｓｉｓｔｅｒ））によって用いられ、１１がＳＧＳＮによって用いられる。
・３ＧＰＰ  ＴＳ  ２３．２３６に記述されている複数のＣＮ（コア・ネットワーク（Ｃｏｒｅ  Ｎｅｔｗｏｒｋ））・ノードへのＲＡＮ（無線アクセス・ネットワーク（Ｒａｄｉｏ  Ａｃｃｅｓｓ  Ｎｅｔｗｏｒｋ））ノードのドメイン内接続が、ＭＳＣ／ＶＬＲまたはＳＧＳＮに適用される場合には、ＮＲＩ（ネットワーク・リソース識別子（Ｎｅｔｗｏｒｋ  Ｒｅｓｏｕｒｃｅ  Ｉｄｅｎｔｉｆｉｅｒ））がＴＭＳＩの一部分にあるべきである。ＮＲＩは、０から１０ビットの構成可能な長さを有する。０ビットの構成可能な長さは、ＮＲＩが用いられず、この特徴がＭＳＣ／ＶＬＲまたはＳＧＳＮに適用されないことを示す。１０ビットのＮＲＩは、最上位ビットから最下位ビットまでが、ビット２３からビット１４にマッピングされるべきである。Ｎ＜１０ビットのＮＲＩに関して、ＮＲＩフィールドでのＮ番目のビットはＴＭＳＩのビット２３にマッピングされるべきであり、ＮＲＩフィールドの（Ｎ−１）番目のビットはＴＭＳＩのビット２２にマッピングされるべきであり、以下同様である。
【０００４】
前述の項目を考慮した後には、利用可能なＴＭＳＩ空間が大幅に減少することになる。したがって、多くのＭＴＣデバイスに関して、考えられるＴＭＳＩ識別情報の枯渇問題が提起されている。Ｍ２Ｍ通信において多くのＭＴＣデバイスを配備する要件を満たすことができる実現可能なＴＭＳＩ割当ての方法が望まれている。
【発明の概要】
【０００５】
本発明は、考えられるＴＭＳＩ識別情報の枯渇問題に対する解決策を提供する。ＴＭＳＩアドレス空間に制限がある問題は、ＭＴＣの用途に関連付けられた移動属性に基づいてＭＴＣの用途に対応する移動階層を求め、求めた移動階層に従って、階層化されたＴＭＳＩ割当て方式を適用することにより対処されてもよい。
【０００６】
本発明の一態様によれば、ＴＭＳＩ（一時的移動局識別情報）割当て用のＭＴＣ（マシン・タイプ通信）サーバが提供される。ＭＴＣサーバは、ＭＭＥ（移動管理エンティティ）デバイスに、ＭＴＣの用途のタイプに基づいて、対応する移動属性を通知するように構成された通知装置を備え、移動属性は、ＭＴＣの用途の可動性が高いか低いかを示し、その結果、ＭＭＥデバイスは、移動属性に従ってＭＴＣの用途に関連した移動階層を求め、求めた移動階層に従って、所定の基準に基づいてＭＴＣの用途を適用するＭＴＣデバイスに対して、利用可能なアドレス空間からＴＭＳＩを割り当てる。
【０００７】
移動階層上で、１グループのｅＮＢにおける所定の数のｅＮＢが、ＭＴＣデバイスの位置エリアのカバレッジに含まれることが判定され、ＴＭＳＩは、このｅＮＢのグループをカバーする位置エリア内で一意的に割り当てられる。
【０００８】
ｅＮＢのグループにおける所定の数のｅＮＢは、移動属性によって決まる。
【０００９】
所定の基準には、それぞれがｅＮＢの別々のグループによってサービスが提供される、同一の移動階層に配置された複数のＭＴＣデバイスに対してＴＭＳＩを繰り返し割り当てるステップと、別々の移動階層に配置された複数のＭＴＣデバイスに対して、ＴＭＳＩを、別々の移動階層に対してそれぞれの割り当てられたＴＭＳＩが１回だけ存在するように割り当てるステップとが含まれる。
【００１０】
本発明の別の態様によれば、ＴＭＳＩ（一時的移動局識別情報）割当て用のＭＭＥ（移動管理エンティティ）デバイスが提供される。ＭＭＥデバイスは、ＭＴＣサーバから受け取った移動属性に従ってＭＴＣ（マシン・タイプ通信）の用途と関連する移動階層を求めるように構成された判定装置であって、移動属性が、ＭＴＣの用途の可動性が高いか低いかを示す、判定装置と、求めた移動階層に従って、所定の基準に基づいてＭＴＣの用途を適用するＭＴＣデバイスに対して、利用可能なアドレス空間からＴＭＳＩを割り当てるように構成された割当て装置とを備える。
【００１１】
判定装置は、移動階層で、１グループのｅＮＢにおける所定の数のｅＮＢが、ＭＴＣデバイスの位置エリアのカバレッジに含まれることを判定するようにさらに構成され、ＴＭＳＩは、このｅＮＢのグループをカバーする位置エリア内で一意的に割り当てられる。
【００１２】
ｅＮＢのグループにおける所定の数のｅＮＢは、移動属性によって決まる。
【００１３】
所定の基準には、それぞれがｅＮＢの別々のグループによってサービスが提供される、同一の移動階層に配置された複数のＭＴＣデバイスに対してＴＭＳＩを繰り返し割り当てるステップと、別々の移動階層に配置された複数のＭＴＣデバイスに対して、ＴＭＳＩを、別々の移動階層に対してそれぞれの割り当てられたＴＭＳＩが１回だけ存在するように割り当てるステップとが含まれる。
【００１４】
本発明の別の態様によれば、ＴＭＳＩ（一時的移動局識別情報）を割り当てる方法が提供される。この方法は、ＭＭＥ（移動管理エンティティ）デバイスに、ＭＴＣ（マシン・タイプ通信）の用途のタイプに基づいて、対応する移動属性を通知するステップであって、移動属性が、ＭＴＣの用途の可動性が高いか低いかを示すステップと、ＭＭＥデバイスによって、移動属性に従ってＭＴＣの用途に関連した移動階層を求め、次いで、求めた移動階層に従って、所定の基準に基づいてＭＴＣの用途を適用するＭＴＣデバイスに対して、利用可能なアドレス空間からＴＭＳＩを割り当てるステップとを含む。
【００１５】
この方法は、移動階層で、１グループのｅＮＢにおける所定の数のｅＮＢが、ＭＴＣデバイスの位置エリアのカバレッジに含まれることを判定するステップであって、ＴＭＳＩが、このｅＮＢのグループをカバーする位置エリア内で一意的に割り当てられるステップをさらに含む。
【００１６】
ｅＮＢのグループにおける所定の数のｅＮＢは、移動属性によって決まる。
【００１７】
所定の基準には、それぞれがｅＮＢの別々のグループによってサービスが提供される、同一の移動階層に配置された複数のＭＴＣデバイスに対してＴＭＳＩを繰り返し割り当てるステップと、別々の移動階層に配置された複数のＭＴＣデバイスに対して、ＴＭＳＩを、別々の移動階層に対してそれぞれの割り当てられたＴＭＳＩが１回だけ存在するように割り当てるステップとが含まれる。
【００１８】
本発明の別の態様によれば、上記のＴＭＳＩ割当て方法を用いてネットワークに接続する方法が提供される。この方法は、ＭＴＣ（マシン・タイプ通信）デバイスからの接続要求メッセージをｅＮＢに伝送して、ＭＴＣ専用パラメータを含んでいる接続要求メッセージを、ｅＮＢからＭＭＥ（移動管理エンティティ）デバイスに転送するステップと、ＭＭＥデバイスによって、ＭＴＣ専用パラメータを用いて、ＭＴＣ特徴要求メッセージを、ＨＳＳ（自宅加入者サーバ（ｈｏｍｅ  ｓｕｂｓｃｒｉｂｅｒ  ｓｅｒｖｅｒ））を介してＭＴＣサーバへ伝送するステップと、ＭＴＣ特徴要求メッセージに応答して、ＭＴＣサーバによって、ＭＴＣ特徴応答メッセージをＭＭＥデバイスへ返すステップであって、ＭＴＣ特徴応答メッセージがＭＴＣの用途のタイプに基づく移動属性を含み、移動属性が、ＭＴＣの用途の可動性が高いか低いかを示すステップと、ＭＭＥデバイスによって、受け取ったＭＴＣ特徴応答メッセージに含まれている移動属性に従ってＭＴＣの用途に関連した移動階層を求め、次いで、ｅＮＢを介してＭＴＣデバイスへ接続承認メッセージを返送するステップであって、接続承認メッセージが、求めた移動階層に従って、所定の基準に基づいてＭＴＣの用途を適用するＭＴＣデバイスに対する、利用可能なアドレス空間からのＴＭＳＩ割当ての指標を含んでいるステップとを含む。
【００１９】
このネットワーク接続方法は、ＭＭＥデバイスがＭＴＣデバイスを認識していない場合、ＭＭＥデバイスによって、ＭＴＣデバイスにＩＭＳＩ（国際移動局識別情報）を要求するための識別情報要求を伝送するステップと、ＭＴＣデバイスによってＩＭＳＩを用いて応答するステップとをさらに含む。
【００２０】
このネットワーク接続方法は、ネットワークにＭＴＣデバイスのコンテキスト（ｃｏｎｔｅｘｔ）がない場合、接続要求メッセージがインテグリティ（ｉｎｔｅｇｒｉｔｙ）保護されていない場合、およびインテグリティ保護に対するチェックが機能していない場合の少なくとも１つにおいて、インテグリティ保護およびＮＡＳ暗号化を活性化するために、認証を強制し、ＮＡＳセキュリティ・セットアップを設定するステップをさらに含む。
【００２１】
このネットワーク接続方法は、ＭＭＥデバイスが最後の切断以来変化している場合、およびＭＭＥデバイスにＭＴＣデバイスに関連した有効なコンテキスト情報がない場合の少なくとも１つで、ＭＭＥデバイスによって、ＨＳＳに更新位置要求を送るステップと、次いで、ＨＳＳによって、更新位置要求に応答するステップとを含む。
【００２２】
本発明の別の態様によれば、上記のＴＭＳＩ割当て方法を用いて位置エリアを更新する方法が提供される。この方法は、マシン・タイプ通信ＭＴＣデバイスからｅＮＢに位置エリア更新要求メッセージを伝送して、位置エリア更新要求メッセージを、ｅＮＢから現在のＭＭＥ（移動管理エンティティ）デバイスに転送するステップと、現在のＭＭＥデバイスによって、ＭＴＣデバイスから受け取ったＴＡ／ＲＡ／ＬＡのエリア更新要求メッセージから、前のＭＭＥデバイスのアドレスを取得して、次いで、コンテキスト要求メッセージを前のＭＭＥデバイスに伝送するステップと、コンテキスト要求メッセージに応答して、前のＭＭＥデバイスによって、コンテキスト応答メッセージを現在のＭＭＥデバイスへ返すステップであって、コンテキスト応答メッセージが、ＭＴＣの用途のタイプに基づく移動属性を含み、移動属性が、ＭＴＣの用途の可動性が高いか低いかを示すステップと、現在のＭＭＥデバイスによって、受け取ったコンテキスト応答メッセージに含まれている移動属性に従ってＭＴＣの用途に関連した移動階層を求め、次いで、ｅＮＢを介してＭＴＣデバイスへ位置エリア更新承認メッセージを返送するステップであって、位置エリア更新承認メッセージが、ＭＴＣの用途を適用するＭＴＣデバイスに対する、利用可能なアドレス空間からのＴＭＳＩ割当ての指標を含むステップとを含む。
【００２３】
位置エリアを更新する方法は、位置エリア更新要求メッセージに対するインテグリティ・チェックが機能していない場合に、認証を強制するステップをさらに含む。
【００２４】
位置エリアを更新する方法は、現在のＭＭＥデバイスによって、前のＭＭＥデバイスに、サービング・ゲートウェイの変更の指標を含んでいるコンテキスト受取りメッセージを伝送するステップをさらに含む。
【００２５】
位置エリアを更新する方法は、現在のＭＭＥデバイスと、前のＭＭＥデバイスと、ＨＳＳとの間で情報を交換することによって位置情報を更新するステップをさらに含む。
【００２６】
本発明の技術的解決法には、次のような利点がある。
１）ＴＭＳＩアドレス空間が、例えば移動属性、キャンプ負荷、トラフィック負荷などといったさまざまな要因を考慮することにより動的に構成され得る。
２）現在の仕様に対して必要とされる修正が非常に小さい。
３）ＭＴＣデバイスが、ｅＮＢ、ＭＭＥ、ＨＳＳなどの間で取り決めた、端末に対して完全にトランスペアレントな階層状のＴＭＳＩ割当てを知る必要がない。
【００２７】
本発明の目的、利点および特性は、図面に関連した好ましい実施形態の説明によって、より明らかになるであろう。
【図面の簡単な説明】
【００２８】
【図１】本発明の例示的実施形態によるＭＴＣデバイスの移動属性に基づいて分割された移動層の概略図である。
【図２】本発明の例示的実施形態によるＴＭＳＩ割当て用のＭＴＣサーバの概略ブロック図である。
【図３】本発明の例示的実施形態によるＴＭＳＩ割当て用のＭＭＥデバイスの概略ブロック図である。
【図４】本発明の例示的実施形態によるＴＭＳＩ割当て方法の流れ図である。
【図５】本発明の例示的実施形態によるＴＭＳＩ割当て方法を用いたネットワーク接続プロセスの流れ図である。
【図６】本発明の例示的実施形態によるＴＭＳＩ割当て方法を用いた位置エリア更新プロセスの流れ図である。
【発明を実施するための形態】
【００２９】
本発明の目的、技術的方式および利点をより明らかにするために、以下で、本発明が、図面および例示的実施形態を参照しながら、さらに詳細に説明されることになる。例示的実施形態では、例示のために３ＧＰＰ  ＵＭＴＳ／ＥＰＳシステムを利用する。このシステムでは、携帯電話会社によって定義された移動局をページングするためのページング・エリアの一例には、ＴＡ／ＲＡ／ＬＡ（位置エリア／経路設定エリア／追跡エリア）があり、移動局はＭＴＣデバイスに相当する。
【００３０】
しかし、当業者なら、本発明の範囲がこれに限定されないことを理解するであろう。この例示的実施形態は、例示であり、本発明を説明するためにのみ用いられ、本発明の実例と見なされるべきであるが、本発明に対するいかなる限定とも見なされるべきではない。本発明の実施形態を用いる方式のうちいかなるものも、本発明の保護範囲内にある。
【００３１】
本発明は、好ましくはＭ２Ｍ通信システムに適用される階層状のＴＭＳＩ割当て方式を提供する。
【００３２】
当業者によって理解されるように、様々なＭＴＣの用途はモビリティ、時間制御するべきか、または遅延の影響を受けやすいか、といったことなどの１組の特性によって表されてもよい。これは、ＭＴＣの用途のさまざまな特性に関して、サービスの質（遅延、エラー率、データ転送速度など）を保証する状況下で、システム・リソースの稼動率が最大化され得ることを意味する。ＭＴＣの用途のいくつかの実例が表１に列挙されている。このリストは完全なものでなく、ＭＴＣ通信の用途を説明的に示すように意図されている。
【００３３】
【表１】
2013532450.tif 000003
【００３４】
表１に列挙されたＭＴＣの用途の実例を考えると、これらは別々の移動属性に対応し、例えば、ＭＴＣデバイスは、計量のために、また、ほとんどのリモート・メンテナンス／制御の用途向けに、通常は固定された場所に配置され、一方、フリート管理用途については比較的高いモビリティであり、自動販売機の制御用途については比較的低いモビリティである。
【００３５】
この移動属性は、通常は不変であり、ＭＴＣデバイスによって用いられるＭＴＣの用途に合致する。Ｈ２ＨのＵＥに関しては、このような一貫性を保つのが非常に困難であり、例えば、運転しているのとオフィスにとどまるのとでは完全に別々の移動属性である。したがって、移動属性は、ＭＴＣサーバまたはオペレータ・ネットワークにおける利用者データを記録するためのサーバに保持されてもよい。
【００３６】
ＭＴＣの用途と一緒にバンドルされた一貫した移動属性を利用することにより、階層化されたＴＭＳＩの割当て方式が、移動属性の示された階層によって利用され得る。図１は、本発明の例示的実施形態によるＭＴＣデバイスの移動属性に基づいて分割された移動層を概略的に示す。
【００３７】
図１に示されるように、ＭＭＥ（またはＳＧＳＮ）は、複数の移動階層（例えばこの実例では４レベル）を、別々の移動属性を有するＭＴＣの用途と関連付けるように定義する。本発明における「階層」の分配は、ＭＴＣの用途を適用するＭＴＣデバイスのＴＡ／ＲＡ／ＬＡのエリアによってカバーされるｅＮＢのグループにおけるｅＮＢの数を指すものであり、これは、移動属性、すなわちいくつかのビットによって識別されるＭＴＣの用途の可動性によって決定される。
【００３８】
本発明のこの例示的実施形態では、Ｍ２Ｍ通信システムのｅＮＢ数は６４と想定されており、移動階層は、別々のビットによって識別される別々の移動属性によって以下のように分割されてもよい。
【００３９】
０１ｘｘｘ．．．ｘに対応する階層２においては、ＭＴＣデバイスのＴＡ／ＲＡ／ＬＡのエリアによってカバーされるｅＮＢの数は３２に設定されてもよく、これはｅＮＢ０〜ｅＮＢ３１と想定されてもよい。ＭＭＥは、ｅＮＢ（ｅＮＢ０〜ｅＮＢ３１）のグループによってサービスが提供されるＭＴＣデバイスのＴＡ／ＲＡ／ＬＡのエリアのＴＭＳＩを一意的に割り当ててもよい。ｅＮＢ３２〜ｅＮＢ６３を含むｅＮＢの別のグループについては、ＴＭＳＩも、ｅＮＢ３２〜ｅＮＢ６３によってサービスが提供されるエリアにおいて一意的に割り当てられる。しかし、ｅＮＢのこれら２つのグループにおいてＴＭＳＩを別々に割り当てることが許される。この階層上のＭＴＣデバイスがｅＮＢｉからｅＮＢｊ（０≦ｉ≦３１、３２≦ｊ≦６３）に移動されるとき、ＭＴＣデバイスは位置更新プロセスを開始することになり、ＴＭＳＩがｅＮＢのグループのカバレッジでは一意であることを保証するために、ＭＭＥは、ＭＴＣデバイスに新規のＴＭＳＩを割り当ててもよい。階層２では、これはＴＭＳＩのアドレス空間を２倍に拡大するのと同等である。
【００４０】
１０ｘｘｘ．．．ｘに対応する階層３では、ＴＭＳＩは、ｅＮＢの４つのグループ（ｅＮＢ０〜ｅＮＢ１５、ｅＮＢ１６〜ｅＮＢ３１、ｅＮＢ３２〜ｅＮＢ４７、ｅＮＢ４８〜ｅＮＢ６３）によってそれぞれカバーされるエリアにおいて一意的に割り当てられる。位置更新が生じ得るのは、ＭＴＣデバイスがｅＮＢの対応するグループの境界を越える場合のみである。階層３では、これはＴＭＳＩのアドレス空間を４倍に拡大するのと同等である。
【００４１】
例えば、階層１は、フリート管理の場合に関連付けられ、対応するＴＡ／ＲＡ／ＬＡのエリアが６４のｅＮＢによってサービスが提供されるセルをカバーしてもよく、階層３は、自動販売機の制御に関連付けられ、対応するＴＡ／ＲＡ／ＬＡのエリアが１６のｅＮＢによってサービスが提供されるセルをカバーしてもよく、階層４は、計量に関連付けられ、対応するＴＡ／ＲＡ／ＬＡのエリアが８つのｅＮＢによってサービスが提供されるセルをカバーしてもよい。
【００４２】
上記の、それぞれの階層を分配する実例では、ｅＮＢの各グループには同数のｅＮＢが含まれていることに留意されたい。しかし、実際には、ｅＮＢの数は、ｅＮＢの各グループにおいて自由に定義して設定されてもよい。それぞれの階層００ｘｘｘ．．．ｘ、０１ｘｘｘ．．．ｘ、１０ｘｘｘ．．．ｘおよび１１ｘｘｘ．．．ｘのプレフィックスは、それぞれの階層に割り当てられ得るＴＭＳＩの組が互いに排他的であることを表すのみであり、それらの割当ても構成されてもよい。このような構成は、ＯＭＣ（操作およびメンテナンスのセンター）のオペレータからの、カバレッジ最適化、負荷バランスなどの方針に基づくものでもよい。
【００４３】
同一の階層でのＴＡ／ＲＡ／ＬＡのエリアのＴＭＳＩ割当てに関しては、これらのＴＡ／ＲＡ／ＬＡのエリアが、ＭＴＣデバイスの位置に関連付けられたｅＮＢの別々のグループを有するので、同一階層のＴＡ／ＲＡ／ＬＡのエリアに属するＴＭＳＩが繰り返し割り当てられてもよい。一例として階層２を選ぶと、１つのグループが、０から３１の番号を付けられたｅＮＢを含み、他のグループが、３２から６３の番号を付けられたｅＮＢを含む。
【００４４】
別々の階層でのＴＡ／ＲＡ／ＬＡのエリアのＴＭＳＩ割当てに関しては、同一のＴＭＳＩが別々の階層に繰り返し割り当てられることがなく、すなわち特定のＴＭＳＩは、別々の階層に１回だけ現われる。
【００４５】
一般に、より高い可動性を有するＭＴＣデバイスのＴＡ／ＲＡ／ＬＡのエリアに含まれるｅＮＢの数はより多く、より低い可動性を有するＭＴＣデバイスのＴＡ／ＲＡ／ＬＡのエリアに含まれるｅＮＢの数はより少ない。このことは、一方ではＴＭＳＩのアドレス空間を拡張し、他方では、ＭＴＣデバイスが、ｅＮＢのグループの定義されたカバレッジの境界を越える場合のみ、ＴＡＵ／ＲＡＵ／ＬＡＵ（追跡エリア更新／経路設定エリア更新／位置エリア更新（Ｔｒａｃｋｉｎｇ  Ａｒｅａ  Ｕｐｄａｔｅ／Ｒｏｕｔｉｎｇ  Ａｒｅａ  Ｕｐｄａｔｅ／Ｌｏｃａｔｉｏｎ  Ａｒｅａ  Ｕｐｄａｔｅ））を開始することになる。ＴＡ／ＲＡ／ＬＡが、さらに多くのｅＮＢによってサービスが提供されるエリアであるとき、生成されるＵＬ（アップリンク）負荷は比較的小さいものであり得る。ネットワークからＭＴＣデバイスに対して呼があるとき、ｅＮＢのこのグループのカバレッジにページング情報がブロードキャストされ、より大きなＤＬ（ダウンリンク）負荷をもたらす。それと対照的に、ＴＡ／ＲＡ／ＬＡがカバーするｅＮＢがより少ないとき、比較的大きなＵＬ負荷および比較的小さなＤＬ負荷が取得され得る。すなわち、ＭＴＣデバイスの移動属性を考えると、ＴＡ／ＲＡ／ＬＡのエリアがカバーするｅＮＢのグループのｅＮＢの数は、実際の要件次第で、ＤＬ負荷とＵＬ負荷の間のトレードオフでもあり得る。
【００４６】
本発明の基本原理は、Ｍ２Ｍ通信システムにおけるＭＴＣサーバが、別々のＭＴＣの用途に基づいて、いくつかのビットによって定義された別々の移動属性の指標をＭＭＥ／ＳＧＳＮに通知してもよく、ＭＭＥ／ＳＧＳＮは、移動属性の指標に従って、移動属性に関連した移動階層を求め、ＭＴＣデバイスに対して、利用可能なアドレス空間から適切なＴＭＳＩを割り当ててもよいということである。
【００４７】
ＴＭＳＩ割当て方法を適用するＭ２Ｍ通信システムでは、ＴＭＳＩ割当て用のＭＴＣサーバ２００および対応するＴＭＳＩ割当て用のＭＭＥデバイス３００が、図２および図３にそれぞれ示されている。図２および図３は、本発明を実施するためにＭＴＣサーバ２００およびＭＭＥデバイス３００に含まれている装置をさらに示す。図２および図３は、本発明と関係する内部装置しか示しておらず、明瞭さと簡潔さのために、周知の内部装置の説明は省略されていることを理解されたい。
【００４８】
図２に示されるように、ＭＴＣサーバ２００は、ＭＭＥデバイス３００に、ＭＴＣの用途のタイプに基づいて、対応する移動属性を通知するように構成された通知装置２０１を備えてもよく、移動属性は、ＭＴＣの用途の可動性が高いか低いかを示し、その結果、ＭＭＥデバイス３００は、移動属性に従ってＭＴＣの用途に関連した移動階層を求め、求めた移動階層に従って、所定の基準に基づいてＭＴＣの用途を適用するＭＴＣデバイスに対して、利用可能なアドレス空間からＴＭＳＩを割り当ててもよい。移動階層では、１グループのｅＮＢにおける所定の数のｅＮＢが、ＭＴＣデバイスの位置エリアのカバレッジに含まれることが判定され、ＴＭＳＩが、このｅＮＢのグループをカバーする位置エリア内で一意的に割り当てられる。
【００４９】
図３に示されるように、ＭＭＥデバイス３００は、判定装置３０１および割当て装置３０３を備えてもよい。
【００５０】
判定装置３０１は、ＭＴＣサーバ２００から受け取った移動属性に従って、ＭＴＣの用途に関連した移動階層を求めるように構成されてもよく、移動属性は、ＭＴＣの用途の可動性が高いか低いかを示す。さらに、判定装置３０１は、移動階層では、１グループのｅＮＢにおける所定の数のｅＮＢが、ＭＴＣデバイスの位置エリアのカバレッジに含まれることを判定するようにさらに構成されてもよく、ＴＭＳＩが、このｅＮＢのグループをカバーする位置エリア内で一意的に割り当てられる。
【００５１】
割当て装置３０３は、求めた移動階層に従って、所定の基準に基づいてＭＴＣの用途を適用するＭＴＣデバイスに対して、利用可能なアドレス空間からＴＭＳＩを割り当てるように構成されてもよい。
【００５２】
ｅＮＢのグループにおける所定の数のｅＮＢは、移動属性によって決まり得る。
【００５３】
所定の基準には、それぞれに対してｅＮＢの別々のグループが対応する、同一の移動階層に配置された複数のＭＴＣデバイスに対してＴＭＳＩを繰り返し割り当てるステップと、別々の移動階層に配置された複数のＭＴＣデバイスに対して、ＴＭＳＩを、別々の移動階層に対してそれぞれの割り当てられたＴＭＳＩが１回だけ存在するように割り当てるステップとが含まれてもよい。
【００５４】
図４は、本発明の例示的実施形態によるＴＭＳＩ割当て方法の流れ図を示す。
【００５５】
ステップＳ４０１で、ＭＴＣサーバ２００の通知装置２０１は、ＭＭＥデバイス３００に、ＭＴＣの用途のタイプに基づいて、対応する移動属性を通知してもよく、移動属性は、ＭＴＣの用途の可動性が高いか低いかを示す。
【００５６】
ステップＳ４０３で、ＭＭＥデバイス３００の判定装置３０１は、移動属性に従ってＭＴＣの用途に関連した移動階層を求めてもよい。求められた移動階層では、１グループのｅＮＢにおける所定の数のｅＮＢが、ＭＴＣデバイスの位置エリアのカバレッジに含まれており、ＴＭＳＩが、このｅＮＢのグループをカバーする位置エリア内で一意的に割り当てられる。
【００５７】
ステップＳ４０５で、ＭＭＥデバイス３００の割当て装置３０３は、求めた移動階層に従って、所定の基準に基づいてＭＴＣの用途を適用するＭＴＣデバイスに対して、利用可能なアドレス空間からＴＭＳＩを割り当ててもよい。
【００５８】
本発明で提案されている階層化されたＴＭＳＩの割当て方法は、ＭＴＣの用途の移動属性を利用することにより、考えられるＴＭＳＩ枯渇問題を解決することができる。本発明では、動的な、階層化されたＴＭＳＩ割当ての実装形態に関しては、上記のＴＭＳＩ割当て方法を用いるネットワーク接続プロシージャおよびＴＡ／ＲＡ／ＬＡのエリア更新プロシージャも提案されている。
【００５９】
以下で、本発明の例示的実施形態によるＴＭＳＩ割当て方法を用いるネットワーク接続プロセス５００が、図５に関連して説明されることになり、従来技術のネットワーク接続プロセスの各ステップの説明は、当業者に周知であるため、省略される。
【００６０】
ネットワーク接続は、ＭＴＣデバイスによって、ネットワークに登録してサービスを受け取るのに利用されるプロシージャである。
【００６１】
ステップＳ５０１で、ＭＴＣデバイスは、接続プロセスを開始するために、ｅＮＢに接続要求メッセージを伝送してもよい。接続要求メッセージには、ＩＭＳＩ、接続タイプなどのいくつかの従来型パラメータに加えて、例えばデフォルトの接続ポイント名（ＡＰＮ）といったいくつかのＭＴＣ専用パラメータが含まれており、ネットワークによって、ＭＴＣサーバからのＭＴＣの特徴または用途のカテゴリの情報などを実現するのに用いられ得る。ｅＮＢは、接続要求メッセージに含まれているＲＲＣパラメータからＭＭＥ／ＳＧＳＮを導出して、接続要求メッセージおよびＴＡＩ／ＲＡＩ／ＬＡＩなどのいくつかのパラメータを、接続要求メッセージの制御メッセージに含まれているＭＭＥ／ＳＧＳＮへ転送してもよい。
【００６２】
ステップＳ５０３で、ＭＭＥ／ＳＧＳＮにおいてＭＴＣデバイスが未知であると、ＭＭＥ／ＳＧＳＮは、ＭＴＣデバイスに識別情報要求を送ってＩＭＳＩを要求する。
【００６３】
ステップＳ５０５で、ＭＴＣデバイスは、識別情報応答（ＩＭＳＩ）を用いて応答する。
【００６４】
ステップＳ５０７で、ネットワークにコンテキストがない場合、接続要求（ステップＳ５０１で送られたもの）がインテグリティ保護されていない場合、またはインテグリティに対するチェックが機能していない場合、認証およびＮＡＳセキュリティのセットアップは、インテグリティ保護およびＮＡＳ暗号化を活性化することを強制され得る。
【００６５】
ステップＳ５０９で、ＭＭＥは、さらなる構成のために、ＭＴＣの用途の移動属性などのＭＴＣの特徴を要求するように、ＭＴＣ専用パラメータを用いることにより、ＨＳＳ（自宅加入者サーバ）を介してＭＴＣサーバにＭＴＣの特徴要求メッセージを送ってもよい。可能な要求経路は、ＭＭＥ／ＳＧＳＮ→ＨＳＳ→ＭＴＣサーバであり、メッセージを伝達するために、ＨＳＳとＭＴＣサーバの間に、ＭＴＣゲートウェイが定義されるべきであろう。
【００６６】
ステップＳ５１１で、ＭＴＣサーバは、ＭＴＣ特徴要求メッセージに対して、ＭＴＣ特徴応答メッセージを用いて、逆方向経路（すなわちＭＴＣサーバ→ＨＳＳ→ＭＭＥ／ＳＧＳＮ）で応答してもよい。ＭＴＣ特徴応答メッセージは、ＭＴＣの用途のタイプに基づく移動属性を含み、移動属性は、ＭＴＣの用途の可動性が高いか低いかを示す。
【００６７】
ＭＭＥ／ＳＧＳＮは、受け取ったＭＴＣ特徴応答メッセージに含まれている移動属性に従ってＭＴＣの用途に関連した移動階層を求めて、ステップＳ５１３で、ｅＮＢを介してＭＴＣデバイスへ接続承認メッセージを返送してもよい。接続承認メッセージには、ＴＡＩ／ＲＡＩ／ＬＡＩのリスト、ＴＭＳＩなどを含む、求めた移動階層に従って、所定の基準に基づいてＭＴＣの用途を適用するＭＴＣデバイスに対して、利用可能なアドレス空間からＴＭＳＩを割り当てる指標が含まれる。次いで、ｅＮＢは、ＲＲＣ接続再構成メッセージにおける対応するパラメータを示す。
【００６８】
最後の切断以来ＭＭＥ／ＳＧＳＮが変化している場合、またはＭＭＥ／ＳＧＳＮにＵＥ用の有効な加入コンテキストがない場合などでは、ステップＳ５１５が遂行されてもよく、ＭＭＥ／ＳＧＳＮは、ＨＳＳに更新位置要求を送ってもよい。次いで、ステップＳ５１７で、ＨＳＳが更新位置要求に応答してもよい。
【００６９】
以下で、本発明の例示的実施形態によるＴＭＳＩ割当て方法を用いるＴＡＵ／ＲＡＵ／ＬＡＵプロセス６００が、図６に関連して説明されることになり、従来技術のＴＡＵ／ＲＡＵ／ＬＡＵプロセスの各ステップの説明は、当業者に周知であるため、省略される。
【００７０】
位置管理機能により、ネットワークが、ＲＲＣがアイドル状態のＭＴＣデバイスに関するＴＡ／ＲＡ／ＬＡのエリアを知るための仕組みがもたらされる。例えば、ＭＴＣデバイスは、ＭＴＣデバイスがネットワークに登録されたＴＡＩ／ＲＡＩ／ＬＡＩ（位置エリア識別子／経路設定エリア識別子／追跡エリア識別子（Ｌｏｃａｔｉｏｎ  Ａｒｅａ  Ｉｄｅｎｔｉｆｉｅｒ／Ｒｏｕｔｉｎｇ  Ａｒｅａ  Ｉｄｅｎｔｉｆｉｅｒ／Ｔｒａｃｋｉｎｇ  Ａｒｅａ  Ｉｄｅｎｔｉｆｉｅｒ））のリストに載っていない新規のＴＡ／ＲＡ／ＬＡのエリアに入ったことを検出したとき、または周期的なＴＡ／ＲＡ／ＬＡの更新タイマが終了したとき、ＴＡＵ／ＲＡＵ／ＬＡＵ動作を実施することになる。図６に示されるように、ＴＡＵ／ＲＡＵ／ＬＡＵプロセスは以下のように表現される。
【００７１】
ステップＳ６０１で、ＭＴＣデバイスは、ｅＮＢにＴＡＵ／ＲＡＵ／ＬＡＵ要求メッセージを送ることにより、ＴＡＵ／ＲＡＵ／ＬＡＵプロシージャを開始してもよい。ＴＡＵ／ＲＡＵ／ＬＡＵ要求メッセージは、例えばＭＴＣデバイスのコア・ネットワーク能力、前のＧＵＴＩ（ＵＥが接続またはＴＡＵ／ＲＡＵ／ＬＡＵを遂行するとき、ＭＭＥによって割り当てられる広域の一意の一時的識別情報（Ｇｌｏｂａｌ  Ｕｎｉｑｕｅ  Ｔｅｍｐｏｒａｒｙ  Ｉｄｅｎｔｉｔｙ））、最終探訪ＴＡＩ／ＲＡＩ／ＬＡＩなどといった、いくつかのパラメータを含んでいる。ｅＮＢは、ＲＲＣパラメータからＭＭＥ／ＳＧＳＮを導出して、例えばＴＡＩ／ＲＡＩ／ＬＡＩ、などといったいくつかのパラメータと一緒に、ＴＡＵ／ＲＡＵ／ＬＡＵ要求メッセージを転送してもよい。
【００７２】
ステップＳ６０３で、現在のＭＭＥ／ＳＧＳＮは、ＭＴＣデバイスから受け取ったＴＡＵ／ＲＡＵ／ＬＡＵ要求メッセージに含まれているＧＵＴＩを用いて、前のＭＭＥ／ＳＧＳＮアドレスを導出し、前のＧＵＴＩ、ＴＡＵ／ＲＡＵ／ＬＡＵの要求メッセージなどを含むコンテキスト要求メッセージを前のＭＭＥ／ＳＧＳＮに送って、ユーザ情報を取得してもよい。
【００７３】
次いで、ステップＳ６０５で、前のＭＭＥ／ＳＧＳＮは、コンテキスト応答メッセージを用いて現在のＭＭＥ／ＳＧＳＮに応答してもよい。コンテキスト応答メッセージは、ＩＭＳＩ、ＭＳＩＳＤＮ、ＭＭコンテキストなどのレガシー情報に加えて、ＭＴＣの用途のタイプに基づく移動属性を含み、移動属性は、ＭＴＣの用途の可動性が高いか低いかを示す。
【００７４】
ステップＳ６０１で送られたＴＡＵ／ＲＡＵ／ＬＡＵ要求メッセージのインテグリティ・チェックが機能していない場合、ステップＳ６０７で認証が強制されてもよい。
【００７５】
ステップＳ６０９で、現在のＭＭＥ／ＳＧＳＮは、前のＭＭＥ／ＳＧＳＮに、サービング・ゲートウェイの変更指標を含むコンテキスト受取りメッセージを送ってもよい。
【００７６】
ステップＳ６１１で、現在のＭＭＥ／ＳＧＳＮと、前のＭＭＥ／ＳＧＳＮと、ＨＳＳの間で情報を交換することにより、位置情報が更新されてもよい。
【００７７】
現在のＭＭＥ／ＳＧＳＮは、ステップＳ６０５で受け取ったコンテキスト応答メッセージに含まれている移動属性に従ってＭＴＣの用途に関連した移動階層を求めて、次いで、ステップＳ６１３で、ｅＮＢを介して、ＭＴＣデバイスへ、ＴＡ／ＲＡ／ＬＡのエリアの更新承認メッセージを返送してもよい。ＴＡ／ＲＡ／ＬＡのエリア更新承認メッセージは、ＭＴＣの用途を適用するＭＴＣデバイスに対する、利用可能なアドレス空間からのＴＭＳＩ割当ての指標を含み、これにはＴＡＩ／ＲＡＩ／ＬＡＩのリスト、ＴＭＳＩなどが含まれる。
【００７８】
ステップＳ６１５で、ＭＴＣデバイスは、ＭＭＥ／ＳＧＳＮに対してＴＡＵ／ＲＡＵ／ＬＡＵ完了メッセージを戻すことにより、受け取ったメッセージを承認してもよい。
【００７９】
Ｍ２Ｍ通信は、多数のマシンをネットワークに接続する可能性のために、非常に将来有望な技法である。多数のＭＴＣデバイスが導入されるとき、現在のＲＡＮおよびＣＮの設計は要件を満たすことができず、ＴＭＳＩ枯渇問題が生じる可能性がある。
【００８０】
本発明では、ＴＭＳＩアドレス空間が制限されている問題に対処するように、ＭＴＣの用途と一緒にバンドルされた移動属性に基づく階層化されたＴＭＳＩの割当て方式が提案されている。
【００８１】
本発明の技術的解決法には、次のような利点がある。
１）ＴＭＳＩアドレス空間が、例えば移動属性、キャンプ負荷、トラフィック負荷などといったさまざまな要因を考慮することにより動的に構成され得る。
２）現在の仕様に対して必要とされる修正が非常に小さい。
３）ＭＴＣデバイスが、ｅＮＢ、ＭＭＥ、ＨＳＳなどの間で取り決めた、端末に対して完全にトランスペアレントな階層状のＴＭＳＩ割当てを知る必要がない。
【００８２】
上記は本発明の好ましい実施形態でしかなく、本発明は上記の実施形態に限定されない。したがって、本発明の精神および範囲から逸脱することなく、本発明に対するいかなる変更、代替および改善も可能である。
【図１】
2013532450.tif 000004
【図２】
2013532450.tif 000005
【図３】
2013532450.tif 000006
【図４】
2013532450.tif 000007
【図５】
2013532450.tif 000008
【図６】
2013532450.tif 000009
【国際調査報告】
2013532450.tif 000010
2013532450.tif 000011
2013532450.tif 000012